(57)【要約】【課題】インターネット上の仮想店舗で販売される被服が購入者の体形に合うか否かを確認するために仮想的に試着することを可能とするバーチャルフィッティングシステムを提供することである。【解決手段】バーチャルフィッティングシステム１０は、ユーザに関する複数の２次元の画像データに基づいてユーザの３次元の体形データを生成する体形データ生成部１２と、ユーザが選択した被服に関する被服データを取り出し、被服データを３次元の体形データに装着させた試着データを生成する試着データ生成部１４と、試着データに基づいて生成された３次元の試着画像を表示させる表示部１６と、を備えることを特徴とする。【選択図】図１
2020097803.tif 000002
【特許請求の範囲】
【請求項１】
ユーザに関する複数の２次元の画像データに基づいて前記ユーザの３次元の体形データを生成する体形データ生成部と、
前記ユーザが選択した被服に関する被服データを取り出し、前記被服データを前記３次元の体形データに装着させた試着データを生成する試着データ生成部と、
前記試着データに基づいて生成された３次元の試着画像を表示させる表示部と、
を備えることを特徴とするバーチャルフィッティングシステム。
【請求項２】
請求項１に記載のバーチャルフィッティングシステムにおいて、
前記表示部は、前記３次元の試着画像を３６０°回転させて視認可能な確認用データとして保存しつつ、前記ユーザの表示端末のウェブブラウザで前記確認用データを表示するためのＵＲＬを通知することを特徴とするバーチャルフィッティングシステム。
【請求項３】
請求項１または請求項２に記載のバーチャルフィッティングシステムにおいて、
前記被服データは、前記被服の外観画像データとともに、生地厚、摩擦係数、屈曲性、引張性及び復元性の少なくとも１つを含む物理特性データを有することを特徴とするバーチャルフィッティングシステム。
【請求項４】
請求項３に記載のバーチャルフィッティングシステムにおいて、
前記被服の生地を挟持しつつ前記生地に力を与えながら前記物理特性データを測定する物理特性測定部と、
前記生地の外観を撮像して前記外観画像データとして保存する撮像部と、
を備えることを特徴とするバーチャルフィッティングシステム。
【発明の詳細な説明】
【技術分野】
【０００１】
本発明は、バーチャルフィッティングシステムに関する。
【背景技術】
【０００２】
従来、被服を購入するために、実店舗に足を運んで商品を手に取りながら、試着をしつつ、好みに合う服を選んで購入している。近年、実店舗で被服を購入する以外の方法として、インターネット技術を活用して、ＥＣサイトなどで服を購入するシステムも考えられている。
【０００３】
本発明に関連する技術として、例えば、特許文献１には、コンピュータによる衣服デザイン方法であって、a）コンピュータを介して、モデルを覆うカバーによって具現される、基本的な３Ｄ曲面からなる少なくとも１つの衣服型を提供するステップを含み、前記衣服型がパラメータ座標により定義されることを特徴とし、ｂ）コンピュータを介して、所望のデザインにしたがい前記モデルの体型に合わせて前記衣服型の種々の選択された部分を緩め、かつ／もしくは締めることにより、前記衣服型を前記モデルに適合させるステップと、ｃ）コンピュータを介して、前記所望のデザインに従い前記衣服型の選択された部分の裁断および削除を行うステップとを含む方法が開示されている。
【０００４】
また、例えば、特許文献２には、手作業もしくは機械を使ってモデルを制作し、次いでモデルの形状データを３次元形状デジタイジング装置により測定し、測定されたモデルの形状データをＣＡＤへ取り込むか、或いはＣＡＤ上で直接モデル形状データを作成したあと、３次元ＣＡＤ上で製品デザイン設計を行い、次いでその３次元デザインから２次元パターンへパターンメーキングを行なう事を特徴とするボディファッション並びに人体の形状情報を盛り込んだ医療・介護用衣服の設計と型紙の作成手法が開示されている。
【先行技術文献】
【特許文献】
【０００５】
【特許文献１】特開２００６−５１２４８６号公報
【特許文献２】特開２００５−３６３７１号公報
【発明の概要】
【発明が解決しようとする課題】
【０００６】
しかしながら、ＥＣサイトなどで、インターネット技術を用いて被服を購入する場合、便利な反面、商品である被服が手元に届いてから着てみると、ユーザの体のサイズに合わない場合があるなどといった課題が生じることがある。
【０００７】
本発明の目的は、インターネット上の仮想店舗で販売される被服が購入者の体形に合うか否かを確認するために仮想的に試着することを可能とするバーチャルフィッティングシステムを提供することである。
【課題を解決するための手段】
【０００８】
本発明に係るバーチャルフィッティングシステムは、ユーザに関する複数の２次元の画像データに基づいて前記ユーザの３次元の体形データを生成する体形データ生成部と、前記ユーザが選択した被服に関する被服データを取り出し、前記被服データを前記３次元の体形データに装着させた試着データを生成する試着データ生成部と、前記試着データに基づいて生成された３次元の試着画像を表示させる表示部と、を備えることを特徴とする。
【０００９】
また、本発明に係るバーチャルフィッティングシステムにおいて、前記表示部は、前記３次元の試着画像を３６０°回転させて視認可能な確認用データとして保存しつつ、前記ユーザの表示端末のウェブブラウザで前記確認用データを表示するためのＵＲＬを通知することが好ましい。
【００１０】
また、本発明に係るバーチャルフィッティングシステムにおいて、前記被服データは、前記被服の外観画像データとともに、生地厚、摩擦係数、屈曲性、引張性及び復元性の少なくとも１つを含む物理特性データを有することが好ましい。
【００１１】
また、本発明に係るバーチャルフィッティングシステムにおいて、前記被服の生地を挟持しつつ前記生地に力を与えながら前記物理特性データを測定する物理特性測定部と、前記生地の外観を撮像して前記外観画像データとして保存する撮像部と、を備えることが好ましい。
【発明の効果】
【００１２】
本発明によれば、インターネット上の仮想店舗で販売される被服が購入者の体形に合うか否かを確認するために仮想的に試着することができる。
【図面の簡単な説明】
【００１３】
【図１】本発明に係る実施形態において、バーチャルフィッティングシステムを示す図である。
【図２】本発明に係る実施形態のバーチャルフィッティングシステムにおいて、被服の物理物性データと外観画像データを生成して登録する手順を示すフローチャートである。
【図３】本発明に係る実施形態のバーチャルフィッティングシステムにおいて、ユーザが仮想店舗で選んだ服を仮想的に試着した様子を確認するための手順を示すフローチャートである。
【発明を実施するための形態】
【００１４】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１５】
図１は、バーチャルフィッティングシステム１０を示す図である。図２は、バーチャルフィッティングシステム１０において、被服の物理物性データと外観画像データを生成して登録する手順を示すフローチャートである。
【００１６】
図３は、バーチャルフィッティングシステム１０において、ユーザが仮想店舗で選んだ服を仮想的に試着した様子を確認するための手順を示すフローチャートである。
【００１７】
バーチャルフィッティングシステム１０は、ユーザが仮想店舗で選んだ服を仮想的に試着した様子を確認することができるシステムである。バーチャルフィッティングシステム１０は、体形データ生成部１２と、試着データ生成部１４と、表示部１６と、物理特性測定部１８と、撮像部２０と、記憶部２２とを備えている。
【００１８】
バーチャルフィッティングシステム１０は、ユーザ端末２とインターネットを介して接続可能な状態となっている。ユーザ端末２は、スマートフォンやタブレット端末やパーソナルコンピュータ等の端末である。
【００１９】
ユーザは、ユーザ端末２などを用いて、ユーザに関する２次元の画像データを入力するとともに、ＥＣサイトなどの仮想店舗で試着を希望する被服を選択する。
【００２０】
被服とは、ユーザが着るための服であり、Ｔシャツ、ニット、セーター、トレーナや、ジーンズ、スラックス、スカートなどが含まれている。もちろん、これらは一例であり、上着だけでなく下着も含まれており、また、カジュアルな服だけでなく、スーツなどのフォーマルな服も含まれる。
【００２１】
ここで、「実店舗」とは、現実に商品を並べて販売している店舗を意味する。これに対し、「仮想店舗」とは、仮想空間（バーチャルスペース）にある店舗であり、いわゆるオンラインショップを意味している。
【００２２】
体形データ生成部１２は、ユーザに対する複数の２次元の画像データ（例えば、デジタルの写真データ）に基づいて、ユーザの３次元の体形データ（例えば、ＯＢＪ形式）を生成する機能を有する。具体的には、ユーザを正面から見た写真データと、ユーザを側面から見た写真データの２つ以上の写真データを用いることで、ユーザの３次元の体形データを求める。
【００２３】
より正確な３次元の体形データを生成するためには、ユーザの正面、背面、平面、底面、左側面及び右側面の六方向の写真データを用いることが好ましいが、六方向が必ず必要ということではない。
【００２４】
試着データ生成部１４は、ユーザが選択した被服に関する被服データを記憶部２２から取り出し、被服データを３次元の体形データに装着させたフィッティングデータ（試着データ）を生成する機能を有する。
【００２５】
被服データは、被服の外観画像データとともに、質量、弾性、生地厚、摩擦係数、屈曲性、引張性、柔軟性及び復元性などの物理特性データを有する。
【００２６】
なお、被服データは、後述する物理特性測定部１８と撮像部２０とを用いて生成した上で記憶部２２に記憶される。例えば、図２に示されるように、物理特性測定部１８の機能を用いて物理特性測定処理を行い（Ｓ１０）、撮像部２０の機能を用いて撮像処理を行う（Ｓ１２）。
【００２７】
物理特性測定部１８は、固定クランプと可動クランプとを備えており、これらのクラン部を用いて被服の生地を挟持しつつ生地に力を与えながら、上記物理特性データを測定する機能を有する。具体的には、記憶部２２に登録しようとする被服の生地を、地の目（生地織目）に対して縦（Ｌ）、横（Ｗ）、バイアス（Ｂ）方向でサンプルを切り出す。
【００２８】
その後、取り出したサンプルを、計量機能などを用いて、ｍ２当りの重量を測定する。そして、可動クランプに挟まれた生地が、固定クランプに近接、接触する事により、生地厚を測定すい、可動クランプ及び固定クランプにＬサンプルを長寸法で装填固定する。
【００２９】
次いで、可動側が摺動する事により、Ｌサンプルが下垂、復元する時の作用、反作用値を、また可動クランプが所定の力で生地を引張する際に発生する抵抗値を機械に内蔵されたセンサが検知し、数値化する。
【００３０】
そして、可動クランプ及び固定クランプにＬサンプルを短寸法で装着固定し、可動側が摺動する事により、Ｌサンプルの凸及び凹方向での下垂、復元の作用、反作用値を、また可動クランプが所定の力で生地を引張する際に発生する抵抗値測定し、数値化を行う。
【００３１】
これらの工程をＷサンプル、Ｂサンプル夫々に対して実施することで、生地の持つ物理特性（生地厚、摩擦係数、屈曲性、引張性、復元性）を数値化することができ、これらのデータを記憶部２２に記憶する。
【００３２】
撮像部２０は、記憶部２２に登録しようとする被服の生地の外観（形状・模様・色彩又はこれらの結合）を撮像して外観画像データとして保存する。
【００３３】
表示部１６は、試着データに基づいて生成された３次元の試着画像を表示させる機能を有する。ここで、試着データ生成部１４により生成された試着データは、色、柄、物理パラメータ、体形データ等を含む冗長なデータが含まれているため、外見の構成データのみを残し、その他は除外したフィルタリング後の３次元の試着画像を出力し、クラウドサービス上にアップロードする。
【００３４】
このように出力された３次元の試着画像は、３６０°回転させて視認可能な確認用データである。表示部１６は、クラウドサービス上の試着画像をユーザ端末２のウェブブラウザで確認用データを表示するためのＵＲＬを通知する機能を有する。
【００３５】
続いて、上記構成のバーチャルフィッティングシステム１０の作用について、図３のフローチャートを用いて説明する。
【００３６】
ユーザは、ユーザ端末２を用いて、体形データの生成処理を行う（Ｓ２０）。具体的には、ユーザに関する複数枚の写真データを登録し、体形データ生成部１２の機能を用いて、ＯＢＪ形式の３次元体形データを生成する。また、ユーザは、ＥＣサイトで試着を希望する被服を選択する。
【００３７】
次に、試着データ生成部１４の機能を用いて、試着データ生成処理が行われる（Ｓ２２）。具体的には、Ｓ２０の工程で生成されたユーザの３次元体形データに対して、ユーザが試着を希望する被服データを装着して試着データを生成する。
【００３８】
そして、試着データをユーザが視認するために必要なデータのみにそぎ落として、３６０°回転可能な３次元試着画像をクラウドサービス上にアップロードする。その後、ユーザ端末２のウェブブラウザで視認するためのＵＲＬを通知する（Ｓ２４）。
【００３９】
次いで、表示部１６の機能を用いて試着画像表示処理を行う（Ｓ２６）。具体的には、ユーザ端末２を用いてウェブブラウザで確認できるように、３次元試着画像を表示させる。そして、必要に応じて３６０°回転して、後ろ姿や横から見た姿についても確認することができる。
【００４０】
このように、バーチャルフィッティングシステム１０によれば、ユーザは、自分自身の３次元体形データに試着を希望する被服データを装着した３次元画像データを、ユーザ端末２を用いて手軽に確認することができる。
【００４１】
ここで、被服データは、生地厚、摩擦係数、屈曲性、引張性、復元性などの物理特性を含んでいるため、試着した服がユーザに合っているか否か（例えば、皺が多すぎないか、丈が短すぎないが或いは長すぎないかなど）を確認することができる。
【００４２】
また、３次元画像データは、無駄なデータがそぎ落とされて、クラウドサービス上で３６０°回転可能に閲覧できるため、ユーザは、より手軽に試着を楽しむことができる。
【００４３】
上記のように、バーチャルフィッティングシステム１０によれば、ＥＣサイトなどの仮想店舗において、自分が着たい服が似合うかどうかを手軽に確認することができるため、ユーザがより簡便に被服についても仮想店舗で購入することができるという顕著な効果を奏する。
【符号の説明】
【００４４】
２  ユーザ端末、１０  バーチャルフィッティングシステム、１２  体形データ生成部、１４  試着データ生成部、１６  表示部、１８  物理特性測定部、２０  撮像部、２２  記憶部。
【図１】
2020097803.tif 000003
【図２】
2020097803.tif 000004
【図３】
2020097803.tif 000005